(57)【要約】【課題】吸音材等の付加的部材を必要とすることなく、さらに空間分解能を低下することなく、傾斜磁場コイルによる騒音を低減可能な磁気共鳴イメージング装置を実現する。【解決手段】ＧＣ２の外周にボルト６２を規則的に取り付けた場合、振動部分８０は互いの形状が同一で同一の共鳴振動周波数を有するため、ＧＣ２のパルス信号にこの共鳴周波数の励起要素があれば部分８０は隣同士が反転し振動し続ける。ＧＣ２の外周にボルト６２を円周方向、半径方向に、ある種のランダム性を有して配置した場合はＧＣ２の主振動箇所８０はその面積も小となり共鳴周波数が高くなる。また、複数振動箇所８０の各面積と形状が互いに異なり各共鳴周波数も異なる。ランダム性を取り入れてボルト６２を配置した場合は隣の振動箇所８０への振動伝達経路もランダムとなり、それ自体振動の妨げになる。【選択図】      図３
2005279187.tif 000002
【特許請求の範囲】
【請求項１】
計測空間に静磁場を発生させる手段と、上記静磁場発生手段の計測空間側表面上に複数の固定手段を用いて固定された傾斜磁場発生手段を備えた磁気共鳴イメージング装置において、
上記固定手段は、この固定手段の間の互いに隣接する傾斜磁場発生手段どうしが互いに異なる共鳴周波数を持つように不規則に配置されたことを特徴とする磁気共鳴イメージング装置。
【請求項２】
請求項１記載の磁気共鳴イメージング装置において、上記固定手段はボルトであり、上記傾斜磁場発生手段に不規則に形成されたボルト穴に上記ボルトを通して上記傾斜磁場発生手段が上記静磁場発生手段に固定されたことを特徴とする磁気共鳴イメージング装置。
【請求項３】
請求項１記載の磁気共鳴イメージング装置において、上記固定手段はボルトであり、上記傾斜磁場発生手段は、複数種類の穴径を持つボルト穴が不規則に形成され、上記ボルトを用いて上記静磁場発生手段に固定されたことを特徴とする磁気共鳴イメージング装置。
【請求項４】
請求項２又は３記載の磁気共鳴イメージング装置において、上記ボルトのうち少なくとも一つは、非対称形状を有する、ワッシャーの長手方向が振動の経路に対して垂直となるように配置されていることを特徴とする磁気共鳴イメージング装置。
【請求項５】
請求項１記載の磁気共鳴イメージング装置において、上記固定手段は、上記傾斜磁場発生手段を上記静磁場発生手段に接着する接着部材であることを特徴とする磁気共鳴イメージング装置。
【請求項６】
計測空間に静磁場を発生させる手段と、上記静磁場発生手段の計測空間側表面上に複数の固定手段を用いて固定された傾斜磁場発生手段を備えた磁気共鳴イメージング装置において、
上記傾斜磁場発生手段は、上記固定手段の間の互いに隣接する形成部材どうしが互いに異なる共鳴周波数を持つように異なる厚さ寸法を有することを特徴とする磁気共鳴イメージング装置。
【発明の詳細な説明】
【技術分野】
【０００１】
本発明は、医療用の磁気共鳴イメージング装置に関する。
【背景技術】
【０００２】
磁気共鳴イメージング装置（ＭＲＩ装置）を用いた検査において、被検者に精神的または肉体的苦痛を与えることは、装置として好ましいものでは無い。
【０００３】
ここで、ＭＲＩ装置の傾斜磁場コイル（ＧＣ）は、診断画像を得るため不可欠な部品であるが、静磁場内に設置され電流をＧＣに流すため、静磁場内でローレンツ力に変換され、それにより振動を起こし騒音源となって、被検者に不快感を与える場合がある。
【０００４】
特に、ＭＲＩ磁気回路の静磁場が高いほど、またＧＣに流す電流値が高いほど、ローレンツ力も増して振動が激しくなり、被検者に不快感を与えること場合がある。
【０００５】
静磁場が１．５Ｔｅｓｌａ以上のＭＲＩにおいて消音対策を行わない装置では９０ｄＢ以上の騒音が発生し、被検者だけではなく、装置のオペレータにも苦痛を与える場合がある。
【０００６】
そのため、ＭＲＩ装置には、いろいろな消音対策が実施されている。  
例えば、特許文献１記載の技術は、真空容器内に傾斜磁場コイルアセンブリを配置し、騒音を低減しようとしている。また、特許文献２記載の技術は、ＲＦコイルの外側に制振材を付けると共に、制振材の外面に拘束板を取り付けて騒音対策を行っている。さらに、特許文献３記載の技術は、吸音材を用いて、騒音を抑制している。
【０００７】
【特許文献１】特開平１０−１７９５４７号公報
【特許文献２】特開平０９−２７１４６８号公報
【特許文献３】特開２０００−１２６１５２号公報
【発明の開示】
【発明が解決しようとする課題】
【０００８】
しかし、上記従来の技術にあっては、未だ完全な消音対策はない。つまり、消音を完全に行おうとすると、消音壁が大となり、被検者の配置空間が狭小になることや、ＧＣに柔らかい消音ダンパー等を付けるとＧＣ自体の振動幅が大きくなり空間分解能が低下するなど、消音対策により他の部分に悪影響を起こす可能性が高くなってしまうからである。
【０００９】
ＭＲＩ装置においては、そのような悪影響が最小となるように、いろいろな消音対策を実施するが、ＧＣの騒音は高磁場ＭＲＩ装置では、大きな問題である。
【００１０】
本発明の目的は、吸音材等の付加的部材を必要とすることなく、さらに、空間分解能を低下することなく、傾斜磁場コイルによる騒音を低減可能な磁気共鳴イメージング装置を実現することである。
【課題を解決するための手段】
【００１１】
上記目的を達成するため、本発明は次のように構成される。  
（１）本発明の磁気共鳴イメージング装置は、計測空間に静磁場を発生させる手段と、上記静磁場発生手段の計測空間側表面上に複数の固定手段を用いて固定された傾斜磁場発生手段を備える。  
そして、上記固定手段は、この固定手段の間の互いに隣接する傾斜磁場発生手段どうしが互いに異なる共鳴周波数を持つように不規則に配置される。
【００１２】
（２）好ましくは、上記（１）において、上記固定手段はボルトであり、上記傾斜磁場発生手段に不規則に形成されたボルト穴に上記ボルトを通して上記傾斜磁場発生手段が上記静磁場発生手段に固定される。
【００１３】
（３）また、好ましくは、上記（１）において、上記固定手段はボルトであり、上記傾斜磁場発生手段は、複数種類の穴径を持つボルト穴が不規則に形成され、上記ボルトを用いて上記静磁場発生手段に固定される。
【００１４】
（４）また、好ましくは、上記（２）、（３）において、上記ボルトのうち少なくとも一つは、非対称形状を有する、ワッシャーの長手方向が振動の経路に対して垂直となるように配置されている。
【００１５】
（５）また、好ましくは、上記（１）において、上記固定手段は、上記傾斜磁場発生手段を上記静磁場発生手段に接着する接着部材である。
【００１６】
（６）本発明の磁気共鳴イメージング装置において、上記傾斜磁場発生手段は、上記固定手段の間の互いに隣接する形成部材どうしが互いに異なる共鳴周波数を持つように異なる厚さ寸法を有する。
【発明の効果】
【００１７】
吸音材等の付加的部材を必要とすることなく、さらに、空間分解能を低下することなく、傾斜磁場コイルによる騒音を低減可能な磁気共鳴イメージング装置を実現することができる。
【発明を実施するための最良の形態】
【００１８】
以下、本発明の実施形態について添付図面を参照して説明する。  
まず、本発明が適用される磁気共鳴イメージング装置（ＭＲＩ装置）の全体概略構成について説明する。
【００１９】
図１２は、ＭＲＩ装置の全体概略構成図である。  
図１２において、ＭＲＩ装置は、静磁場発生装置１と、傾斜磁場発生系３０と、送信系３２と、受信系３３と、信号処理系３４と、シーケンサ３１と、中央処理装置（ＣＰＵ）３５とを備えている。
【００２０】
静磁場発生装置３１は、被検者５４の周りにその体軸方向または体軸と直交する方向に均一な静磁場を発生させるもので、被検者５４の周りのある広がりをもった空間に永久磁石方式または常電導方式あるいは超電導方式の磁場発生手段が配置されている。
【００２１】
傾斜磁場発生系３０は、Ｘ、Ｙ、Ｚの三軸方向に巻かれた傾斜磁場コイル２と、それぞれの傾斜磁場コイルを駆動する傾斜磁場電源３６とを備え、後述するシーケンサ３１からの命令に従って、Ｘ、Ｙ、Ｚのそれぞれのコイルの傾斜磁場電源３６を駆動することにより、Ｘ、Ｙ、Ｚの三軸方向の傾斜磁場Ｇｘ、Ｇｙ、Ｇｚを被検者５４に印加する。傾斜磁場の加え方により被検者５４に対するスライス面を設定することができる。
【００２２】
シーケンサ３１は、被検者５４の生体組織を構成する原子の原子核に核磁気共鳴を起こさせる高周波磁場パルスをある所定のパルスシーケンスで繰り返し印加する。
【００２３】
また、シーケンサ３１は、ＣＰＵ３５の制御により動作し、被検者５４の断層像のデータ収集に必要な種々の命令を、送信系３２、傾斜磁場発生系３０及び受信系３３に送る。
【００２４】
送信系３２は、上記シーケンサ３１から送り出される高周波パルスにより被検者５４の生体組織を構成する原子の原子核に核磁気共鳴を起こさせる高周波磁場を照射する。そして、送信系３２は、高周波発振器３７と、変調器３８と、高周波増幅器３９と、送信側の高周波コイル３とを備える。
【００２５】
高周波発振器３７から出力された高周波パルスをシーケンサ３１の命令に従って変調器３８で振幅変調し、この振幅変調された高周波パルスを高周波増幅器３９で増幅する。そして、増幅された高周波パルスを、被検者５４に近接して配置された高周波コイル３に供給することにより、電磁波が被検者５４に照射される。
【００２６】
受信系３３は、被検者５４の生体組織の原子核の核磁気共鳴により放出されるエコー信号（ＮＭＲ信号）を検出する。受信系３３は、受信側の高周波コイル３と、増幅器４０と、直交位相検波器４１と、Ａ／Ｄ変換器４２とを備える。
【００２７】
送信側の高周波コイル３から照射された電磁波による被検者５０の応答の電磁波（ＮＭＲ信号）は、被検者５４に近接して配置された高周波コイル３で検出され、増幅器４０及び直交位相検波器４１を介してＡ／Ｄ変換器４２に入力されてディジタル量に変換される。
【００２８】
さらに、直交位相検波器４１に供給された信号はシーケンサ３１からの命令によるタイミングで直交位相検波器４１によりサンプリングされた二系列の収集データとされ、その信号が信号処理系３４に送られる。
【００２９】
信号処理系３４は、ＣＰＵ（動作制御演算手段）３５と、磁気ディスク４３及び磁気テープ４４等の記録装置と、ＣＲＴ等のディスプレイ４５とを備え、ＣＰＵ３５でフーリエ変換、補正係数計算、像再構成等の処理を行い、任意断面の信号強度分布あるいは複数の信号に適当な演算を行って得られた分布を画像化してディスプレイ４５に断層像として表示する。
【００３０】
以上のように構成されたＭＲＩ装置における傾斜磁場コイル２の騒音低減対策原理を説明する。
【００３１】
図１は、一次元の剛体６０を、取り付けボルト６２により、ボルト６２の互いの間隔を規則的に取り付けた場合の例と（図１の（ａ）、不規則に取り付けた場合の例（図１の（ｂ））とを示す。
【００３２】
図１に示すように、ボルト６２とボルト６２との間の剛体６０は一つの共鳴周波数を持ち振動する。図１の（ａ）のように、ボルト６２を規則的に取り付けた場合、節（ボルト６２間の距離）が、皆ほぼ同一の長さであるため、同一の共鳴周波数を持ち、剛体６０の隣の節と位相が反対であれば、互いに振幅運動を邪魔せず長い振動、つまり、振動の余韻が長くなる。
【００３３】
一方、図１の（ｂ）に示すように、ボルト６２間の距離をランダムとする配置を行った場合、各節間は異なった共鳴周波数を持ち、ある瞬間、隣の節同士の位相が反対になっても、互いの周波数が違うため、お互いの振動を抑制しあうことになる。つまり、ボルト６２間の距離をランダムとすることにより共鳴周波数分散手段を構成することができる。
【００３４】
そのため、与えられた振動エネルギーに対し急激な減衰作用が働くこととなる。すなわち、剛体６０の振動を抑制し、余韻を短くする消音効果が発揮されることになる。
【００３５】
この消音効果を、図２に示す振り子６３を用いて簡単に説明する。  
図２の（ａ）は、図１の（ａ）と同様に、同一の振動周波数ωを有する複数の振り子６３を互いに拘束させた場合を示す。この図２の（ａ）に示す例の場合、複数の振り子６３の振動周波数が同一であるため、振り子６３は、全体として周期運動を繰り返す。
【００３６】
一方、図２の（ｂ）で示すように、複数の振り子６３は、互いの周波数が異なるため（ω、ω’、ω’’、ω’’’）、互いの振動の動きを邪魔することになり振動が収束することになる。
【００３７】
上述した図１の（ｂ）、図２の（ｂ）に示すような状況は、二次元的傾斜磁場コイル（ＧＣ）にも適用が可能である。
【００３８】
次に、傾斜磁場コイル２（以下、ＧＣ２という）における共鳴周波数分散手段の具体例について、説明する。
【００３９】
図３は、本発明の第１の実施形態である傾斜磁場コイル２の概略説明図であり、上述した図１の（ｂ）に示した原理を傾斜磁場コイル２に適用した場合の概略図（図３の（ｂ））である。また、開放型ＭＲＩの傾斜磁場コイル２の固定用ボルト６２を規則的に取り付ける場合（図３の（ａ））とを比較して示している。
【００４０】
図３の（ａ）は、円形コイル２の外周に１４個、内周に４個、中央に１個、トータル１９個のボルト６２を円周方向に規則的に取り付けた例である。この図３の（ａ）の場合、振動する面は、主に編みかけで示した四つの部分８０となる。この振動部分８０は、互いの形状が同一となるため、互いに同一の共鳴振動周波数を有する。
【００４１】
このため、ＧＣ２のパルス信号の中でこの共鳴周波数を励起させる要素があれば、四つの部分８０は、隣同士の位相が反転し振動し続けることとなる。
【００４２】
一方、図３の（ｂ）で示す例の場合は、円形コイル２の外周に１２個、内周に６個、中央に１個のボルト６２を配置する。これらボルト６２の、円周方向位置、半径方向位置には規則性は無く、ある種のランダム性を有している。
【００４３】
この図３の（ｂ）に示すような場合は、傾斜磁場コイル２の主な振動箇所８０は、図３の（ａ）に示した場合と比較して、４から５に増加し、また、その振動する面の面積も小さくなっている。このことは、一般的に共鳴周波数が高くなったことを意味する。
【００４４】
また、複数の振動箇所８０の、それぞれの面積と形状が互いに異なり、それぞれの共鳴周波数は異なることになる。また、図３の（ａ）に示したように規則的にボルト６２が配置される場合、振動箇所８０の隣の振動箇所８０への振動伝達経路は、二つの円周Ｃ１、Ｃ２であり、それらは対称性を持っている。また、全体で、一つの振動源となり、振動の伝播が妨害されず起こる。
【００４５】
それに比較して、図３の（ｂ）に示すように、ランダム性を取り入れてボルト６２を、配置し、締め付けた場合においては、複数の振動箇所８０の互いの共鳴周波数が違うだけではなく、隣の振動箇所８０に振動を伝える経路もまたランダムな経路になっており、それ自体が振動の妨げになる。
【００４６】
ここで、ボルト６２の配置位置のランダム性を与える関数を次式（１）のように定義する。  
Rand(a1,a2)        −−−（１）
上記式（１）に示した関数は、範囲（ａ１，ａ２）間のランダム数を１個与える関数である。図３の（ａ）に示したコイル２外周の１４個のボルト６２の位置は次式（２）のように与えられる。  
[R・cos{2π(i-1)/n},R・sin{2π(i-1)/n}]        −−−（２）
ただし、ｉは１〜１４、Ｒは円形コイル２の中心からボルト６２の配置位置までの距離、ｎは任意の自然数を表す。
【００４７】
次に、図３の（ａ）に示した外周１４個のボルト６２にランダム性を与えるために式（１）、（２）を用いて次式（３）を得る。  
［[R-Rand(-r1,r2)]・cos{2π(i-1)/n}+ Rand(-θ,θ), [R-Rand(-r1,r2)]・sin{2π(i-1)/n}+ Rand(-θ,θ)］        −−−（３）
ただし、上記式（３）において、ｒ１、ｒ２はＲを中心とした、半径方向のボルト配置範囲限界値、±θは、円周方向の配置範囲限界角度である。
【００４８】
上記式（３）が、図３の（ａ）に示した規則的なボルト６２の配置位置に比べ、径方向に（Ｒ−ｒ２，Ｒ＋ｒ１）の範囲でランダムに配置し、円周方向には元の位置に対して（−θ，θ）の角度範囲でランダムに配置することを意味する。
【００４９】
この場合、角度θが大きすぎると、ボルト６２の配置位置が隣同士重なることにもなる。また、内周にある四つのボルト６２の位置に対しても、上記式（３）に従って、ボルト６２の配置位置を求めることができる。
【００５０】
以上のように、本発明の第１の実施形態によれば、傾斜磁場コイル２の複数の固定用ボルト６２の配置位置を、等間隔とすることなく、ランダムな配置間隔とし、ボルト６２と６２との間のコイル２構成部材の振動が、互いに抑制し合う構成としたので、吸音材等の付加的部材を必要とすることなく、さらに、空間分解能を低下することなく、傾斜磁場コイルによる騒音を低減可能な磁気共鳴イメージング装置を実現することができる。
【００５１】
次に、本発明の第２の実施形態について説明する。  
上述した第１の実施形態は、図３の（ａ）に示したボルト６２の規則的配置を基本形にして、ランダム性を与える例である。これに対して、本発明の第２の実施形態は、ボルト６２の規則的基本配置によらず、配置にランダム性を与える例である。
【００５２】
本発明の第２の実施形態においては、ボルト６２のｉ番の位置をｒｉとした場合、この位置ｒｉを次式（４）のように定義する。  
ri=(xi,yi)
=［Rand(0,R)・cos{Rand(0,2π)}, Rand(0,R)・sin{Rand(0,2π)}］        −−−（４）
ここで、あらゆるｉとｊとの間の距離Ｄｉｊは、ある大きさ以上になるよう与えられる。即ち、距離Ｄｉｊを次式（５）のように定義する。  
Dij=|ri-rj|=√｛（xi-xj）２+（yi-yj）２｝        −−−（５）
ただし、全ての、ｉ、ｊに対して、Dij＞ｄとなる。ｄは、ある特定の数である。
【００５３】
例として、R＝１０、ｄ＝３．８の場合を図４の（ａ）に示し、R＝１０、ｄ＝２．５の場合を図４の（ｂ）に示した。  
図３の（ｂ）に示した例では、主な振動面が五カ所（網掛けの部分）であった。それは基準となる配列が、図３の（ａ）に示した規則配列であるからである。
【００５４】
ボルト６２のランダム配列を、最初から行った図４の（ｂ）に示す例の場合、主な振動面は、図５に示すように、約八カ所（網掛けの部分）になっている。これは、振動面の共鳴周波数が高くなり、また、振動面の形状が円から楕円になっている。
【００５５】
また、図４の（ａ）に示した例の場合は、振動面を特定することが難しい。これは、ＧＣ２が共鳴周波数を持たないと言うことになるため、特定の周波数によって励起されても、時間とともに周波数がブロードになり且つ減衰すると推測される。
【００５６】
本発明の第２の実施形態においても、第１の実施形態と同様な効果を得ることができる。
【００５７】
次に、本発明の第３の実施形態について、図５及び図６を参照して説明する。  
ＧＣ２におけるボルト６２のランダム配置については、第１又は第２の実施形態と同様にして、設定可能である。
【００５８】
ここで、振動解析又は実験により、図５に示した主振動面の中で、振動面６４と振動面６５との共鳴周波数は測定可能である。この場合、振動面６４の横方向の１次共鳴周波数と、振動面６５の縦方向の何次かの共鳴周波数とが、互いに近接した場合、図５に示す矢印の部分を通して相互作用し、互いに共鳴し合い振動を助長する。この場合には、振動が大となっていき、騒音が増大することが考えられる。
【００５９】
このような動作を防止するため、図６に示すように、ボルト６２にワッシャ６６を用いる。このように、ワッシャ６６を用いることで、振動面の相互作用を断ち切ることが可能になる。
【００６０】
また、このようなワッシャ６６は、振動が大となる相互作用を妨害するだけではなく、互いの振動を減衰させる相互作用を誘導することも可能である。このため、振動面の互いの共鳴周波数が著しく異なった面間においては、お互いの振動を阻害するように作用することも可能である。
【００６１】
また、ワッシャ６６の形状について、振動の伝播の経路を邪魔する方向に取り付けることにより消音効果を上げることができる。例えば、ワッシャ６６の形状が長方形状である場合、振動の経路に対して、ワッシャ６６の長手方向が垂直方向となるように、取り付けることにより振動伝播抑制効果、つまり、消音効果を上げることができる。
【００６２】
以上のように、本発明の第３の実施形態によれば、ワッシャ６６を追加して取り付けることにより、傾斜磁場コイル２の振動をさらに抑制し、消音効果を向上することができる。
【００６３】
次に、本発明の第４の実施形態について説明する。  
図４の（ａ）及び（ｂ）に示した例は、どちらもランダム性を取り入れたボルトの配置位置である。しかし、両例とも、同じ効果を得るとは限らない。
【００６４】
つまり、ＧＣ２の振動抑制による消音効果は、ＧＣ２の構造、例えば、ＦＲＰの形状、銅線パターンの太さ、接着剤及びＦＲＰのヤング率とポアゾン比などの物性値、銅線パターンに流すパルス電流のパターン等の要素が関わる。そのため、ボルト６２のランダム配置位置の違いによって、振動抑制効果は異なってくる。
【００６５】
これは、ＧＣ２の構造による最大の消音効果が得られる、ボルト６２のランダム配置位置があると言うことを意味する。  
このため、目的値以上の振動抑制効果を得るためのボルト６２のランダム配置位置は、ランダム配列を作る上記式（４）と、傾斜磁場コイルの剛体の振動解析を用いることで達成可能となる。
【００６６】
つまり、本発明の第４の実施形態においては、上記式（４）に従って、決定したランダム配置と、その配置位置でのＧＣ２の物理特性値とに基づいて、振動計算を行い、振動抑制効果が適切となるまで、ボルト６２の配置位置の算出を繰り返し行う。
【００６７】
以上のように、本発明の第４の実施形態によれば、ＧＣ２の物理特性値を考慮して、振動抑制効果が最も適切となる、ボルト６２のランダム配置を決定するように、構成したので、傾斜磁場コイル２の振動をさらに抑制し、消音効果を向上することができる。
【００６８】
ここで、本発明による不規則な固定手段の一例として、上述したようにボルト６２を使用した場合の代表的な断面構造を図７に示す。  
図７において、傾斜磁場コイル２には貫通孔が設けられており、固定ボルト６２をこの貫通孔を通過させ、静磁場発生手段である磁石容器６７と締結することで、傾斜磁場コイル２と磁石容器６７とが機械的に固定される。この固定孔の面内配置が不規則であることにより、本発明の効果が発揮できる。
【００６９】
また、この図７に示すように、矩形のワッシャー６６を傾斜磁場コイル２とボルト６３の頭との間に配置することによっても、その効果を有効に発揮することができる。
【００７０】
次に、本発明の第５の実施形態について図８を参照して説明する。  
図８は、本発明の第５の実施形態を示す図であり、永久磁石開放型ＭＲＩ装置の要部断面図である。
【００７１】
図８において、銅線パターン６９を含むＧＣ２とポールピース６８とは、ボルト６２を介して互いに連結されている。ＧＣ２は振動源であるため、振動は、ボルト６２を介してポールピース６８、磁石６７、ヨーク７０に伝わっていく。
【００７２】
ポールピース６８、磁石６７及びヨーク７０の振動は、静磁場を乱す原因になるだけではなく、それ自体が新たな騒音の音源になる。この場合、ＭＲＩ装置全体を一つの構造物と見做すと、その振動源はＧＣ２である。
【００７３】
このような構造物で、ＧＣ２とポールピース６８間はボルト６２を介して連結されているため、ボルト６２の位置は振動伝達で最も重要な要因となり、ポールピース６８から見れば、振動源はボルト６２になる。ボルト６２の振動がボールピース６８、磁石６７及びヨーク７０を振動させる。
【００７４】
この場合においても、ＧＣ２同様、振動の減衰は、ボルト６２の配置位置に関わってくる。つまり、ＭＲＩ装置の構造と、その物性値、ＧＣ２の構造とその物性値、パルス電流及びボルト６２の位置により振動は決まることになる。
【００７５】
このため、図３、図４又は図６に示した例のように、ランダム配置されたボルト６２と、上記ＭＲＩ装置の構造等の要素とを考慮して、振動解析または実験を行い、振動抑制効果が最も適切となるボルト６２のランダム配置位置を決定することができる。
【００７６】
以上のように、本発明の第５の実施形態によれば、ＭＲＩ装置の構造等の要素の物理特性値を考慮して、振動抑制効果が最も適切となる、ボルト６２のランダム配置を決定するように、構成したので、傾斜磁場コイル２の振動をさらに抑制し、消音効果を向上することができる。
【００７７】
次に、本発明の第６の実施形態について、図９を参照して説明する。  
上述した本発明の第１〜第５の実施形態においては、ボルト６２の配置位置がランダムな位置となっていた。これに対して、第６の実施形態においては、ボルト６２の配置位置は、図３の（ａ）に示す例と同様に、規則的な配置となっている。
【００７８】
ボルト６２の配置位置は規則的となっているが、ボルト穴の径が、小のもの７１ａ、中のもの７１ｂ、大のもの７１ｃがあり、これらの位置がランダムとなっている。
【００７９】
この図９に示すように、ボルト６２の配置位置は規則的であっても、ボルト穴径をランダムとすれば、ボルト６２と６２との間のコイル２構成部材の振動が、互いに抑制し合うことができる。したがって、吸音材等の付加的部材を必要とすることなく、さらに、空間分解能を低下することなく、傾斜磁場コイル２による騒音を低減可能な磁気共鳴イメージング装置を実現することができる。
【００８０】
次に、本発明の第７の実施形態について、図１０を参照して説明する。  
上述した本発明の第６の実施形態においては、ボルト６２の配置位置は、規則的とし、ボルト穴径をランダムなものとした。
【００８１】
これに対して、本発明の第７の実施形態においては、ボルト６２の配置位置が、図３の（ｂ）や図４に示すようにランダム配置となっている。
【００８２】
そして、ボルト穴の径が、小のもの７１ａ、中のもの７１ｂ、大のもの７１ｃと穴径もランダムとなっている。
【００８３】
この図１０に示すように、ボルト６２の配置位置がランダムであり、かつ、ボルト穴径もランダムとすれば、傾斜磁場コイル２の振動抑制効果をさらに向上することができる。
【００８４】
次に、本発明の第８の実施形態について、図１１を参照して説明する。  
図１１は、本発明の第８の実施形態の要部概略断面図である。この第８の実施形態においては、ＧＣコイル２の断面厚さ、ボルト６２の固定穴７２ａ〜７２ｇの深さが、互いにランダムとなっている。
【００８５】
この図１１に示すように、ＧＣコイル２の断面厚さ、ボルト６２の固定穴７２ａ〜７２ｇの深さが互いにランダムとすれば、傾斜磁場コイル２の振動抑制効果を向上することができる。
【００８６】
なお、本発明のその他の実施形態としては、ＧＣ２の材質密度をランダムとすることにより、共鳴周波数の分散手段とすることも可能である。
【００８７】
また、上述した例は、ＧＣコイル２をボルト６２によりポールピース６８に取り付ける例であるが、ボルトではなく、接着剤によりＧＣ２をポールピース６８に取り付ける場合の例にも適用可能である。つまり、ＧＣコイル２とポールピース６８との接着箇所を複数とし、これら複数の接着箇所を、上記式（４）等に基づき算出し、ランダムな位置で互いに接着させることもできる。また、接着面積をランダムとすることも可能である。
【図面の簡単な説明】
【００８８】
【図１】本発明の原理を説明する図である。
【図２】本発明の原理を説明する図である。
【図３】本発明の第１の実施形態の説明図である。
【図４】本発明の第２の実施形態の説明図である。
【図５】本発明の第３の実施形態の説明図である。
【図６】本発明の第３の実施形態の説明図である。
【図７】不規則固定手段としてボルトを用いた場合の要部構造断面図である。
【図８】本発明の第５の実施形態の説明図である。
【図９】本発明の第６の実施形態の説明図である。
【図１０】本発明の第７の実施形態の説明図である。
【図１１】本発明の第８の実施形態の説明図である。
【図１２】本発明が適用されるＭＲＩ装置の概略構成図である。
【符号の説明】
【００８９】
１                静磁場発生装置
２                傾斜磁場コイル
３                高周波磁場コイル
３０              傾斜磁場発生系
３１              シーケンサ
３２              送信系
３３              受信系
３４              信号処理系
３５              ＣＰＵ
３６              傾斜磁場電源
３７              高周波発振器
３８              変調器
３９、４０        増幅器
４１              直交位相検波器
４２              Ａ/Ｄ変換器
６２              ボルト
６６              ワッシャ
６７              磁石
６８              ポールピース
６９              銅線パターン
７０              ヨーク
７１ａ〜７１ｃ    ボルト穴
７２ａ〜７２ｇ    ボルト穴
【図１】
2005279187.tif 000003
【図２】
2005279187.tif 000004
【図３】
2005279187.tif 000005
【図４】
2005279187.tif 000006
【図５】
2005279187.tif 000007
【図６】
2005279187.tif 000008
【図７】
2005279187.tif 000009
【図８】
2005279187.tif 000010
【図９】
2005279187.tif 000011
【図１０】
2005279187.tif 000012
【図１１】
2005279187.tif 000013
【図１２】
2005279187.tif 000014